(57)【要約】【課題】  本発明は大きな揺れ動きを吸収することができるとともに、スムーズに目地カバーをスライド移動させることができ、かつ構造が簡単で、容易に設置することができる、床部分や屋上部分に使用することができる目地装置を得るにある。【解決手段】  左右の躯体の目地部側の躯体に、前後方向に所定間隔で両端部が枢支された複数個の中央枢支部を有する複数個のパンタグラフ形状の伸縮リンク機構と、この複数個の伸縮リンク機構の中央枢支部にそれぞれ枢支された複数個の支持杆と、この複数個の支持杆を伸縮リンク機構が伸縮移動しても垂直状態に保持する保持機構と、複数個の支持杆のうちの同じ位置に位置する支持杆の上部に、後端部が直接あるいは取付金具を介して取付けられ、先端部が一方の躯体の上面に接触あるいは隙間を介してスライド移動可能および隣りと接触あるいは隙間を介してスライド移動可能な複数個の目地カバーと、他方の躯体と該他方の躯体側の目地カバーとの間を覆う端部目地カバーとで目地装置を構成している。【選択図】  図２
2014029074.tif 000002
【特許請求の範囲】
【請求項１】
左右の躯体の目地部側の躯体に、前後方向に所定間隔で両端部が枢支された複数個の中央枢支部を有する複数個のパンタグラフ形状の伸縮リンク機構と、この複数個の伸縮リンク機構の中央枢支部にそれぞれ枢支された複数個の支持杆と、この複数個の支持杆を前記伸縮リンク機構が伸縮移動しても垂直状態に保持する保持機構と、前記複数個の支持杆のうちの同じ位置に位置する支持杆の上部に、後端部が直接あるいは取付金具を介して取付けられ、先端部が一方の躯体の上面に接触あるいは隙間を介してスライド移動可能および隣りと接触あるいは隙間を介してスライド移動可能な複数個の目地カバーと、前記他方の躯体と該他方の躯体側の目地カバーとの間を覆う端部目地カバーとからなることを特徴とする目地装置。
【請求項２】
左右の躯体は左右の建物の躯体あるいは道路や通路となる左右の床躯体であり、保持機構は複数個の伸縮リンク機構の下部に配置した、該伸縮リンク機構と同じ構成のものあるいは、該複数個の伸縮リンク機構のリンク部材に伸縮可能に取付けられていることを特徴とする請求項１記載の目地装置。
【発明の詳細な説明】
【技術分野】
【０００１】
本発明は左右の建物の躯体の床目地部や屋上目地部、目地部を介して設けられた左右の道路や通路となる床躯体間の目地部あるいは建物躯体の外壁面と床目地部を介して設けられた道路や通路の床躯体間の目地部を覆う目地装置に関する。
【背景技術】
【０００２】
従来、左右の躯体間の目地部を、地震で左右の躯体が揺れ動いても、その揺れ動きを吸収して目地部を覆った状態を保つ目地装置が使用されている。
【０００３】
しかし、この目地装置は目地プレートの後端部を一方の躯体に取付け、先端部を他方の躯体にスライド移動できるように取付ける構造であったり、目地部側の一方の躯体と他方の躯体より水平方向に回動する、一方、他方のブラケットを設け、この一方、他方のブラケットに一方の躯体と他方の躯体に固定した固定ブラケットを支持させるとともに、該固定ブラケット間を覆う中央目地プレートをパンタグラフ形状の中央維持装置で支持する構造のものであった。
【０００４】
このため、目地プレートがスライド移動するスペースが大きく、大きなスペースがある所にしか設置することができなかったり、構造が複雑で、コスト高になるとともに、大きな揺れ動きを吸収することができないという欠点があった。
【先行技術文献】
【特許文献】
【０００５】
【特許文献１】特許第４０２１８６６号公報
【発明の概要】
【発明が解決しようとする課題】
【０００６】
本発明は以上のような従来の欠点に鑑み、大きな揺れ動きを吸収することができるとともに、スムーズに目地カバーをスライド移動させることができ、かつ構造が簡単で、容易に設置することができる、床部分や屋上部分に使用することができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は左右の躯体の目地部側の躯体に、前後方向に所定間隔で両端部が枢支された複数個の中央枢支部を有する複数個のパンタグラフ形状の伸縮リンク機構と、この複数個の伸縮リンク機構の中央枢支部にそれぞれ枢支された複数個の支持杆と、この複数個の支持杆を前記伸縮リンク機構が伸縮移動しても垂直状態に保持する保持機構と、前記複数個の支持杆のうちの同じ位置に位置する支持杆の上部に、後端部が直接あるいは取付金具を介して取付けられ、先端部が一方の躯体の上面に接触あるいは隙間を介してスライド移動可能および隣りと接触あるいは隙間を介してスライド移動可能な複数個の目地カバーと、前記他方の躯体と該他方の躯体側の目地カバーとの間を覆う端部目地カバーとで目地装置を構成している。
【発明の効果】
【０００９】
以上の説明から明らかなように、本発明にあっては次に列挙する効果が得られる。
（１）請求項１により、目地部を複数個の伸縮リンク機構、保持機構でスライド移動する先端部が重なる複数個の目地カバーで覆っているので、左右の躯体が地震で大きく揺れ動いても、その揺れ動きを吸収することができる。    
（２）前記（１）により、複数個の伸縮リンク機構、保持機構で複数個の目地カバーをスライド移動させるので、従来のように複数個の支持杆が片持ち状態にはならず、確実で、損傷なく、複数個の目地カバーをスライド移動させることができる。
（３）前記（１）によって、従来のように一方のブラケットや他方のブラケットを用いて複数個の目地カバーを支持させないので、構造が簡単で、安価に設置することができる。
（４）請求項２も前記（１）〜（３）と同様な効果が得られる。
【図面の簡単な説明】
【００１０】
【図１】本発明を実施するための第１の形態の平面図。
【図２】図１の２−２線に沿う断面図。
【図３】本発明を実施するための第１の形態の伸縮リンク機構、保持機構の説明図。
【図４】本発明を実施するための第１の形態の目地カバーを外した状態の平面図。
【図５】本発明を実施するための第１の形態の目地部が狭くなった動作説明図。
【図６】本発明を実施するための第１の形態の目地部が広くなった動作説明図。
【図７】本発明を実施するための第１の形態の異なる前後方向の動作説明図。
【図８】本発明を実施するための第２の形態の平面図。
【図９】図８の９−９線に沿う断面図。
【図１０】本発明を実施するための第２の形態の伸縮リンク機構、保持機構の説明図。
【図１１】本発明を実施するための第３の形態の平面図。
【図１２】図１１の１２−１２線に沿う断面図。
【図１３】本発明を実施するための第３の形態の伸縮リンク機構、保持機構の説明図。
【図１４】本発明を実施するための第４の形態の平面図。
【図１５】図１４の１５−１５線に沿う断面図。
【図１６】本発明を実施するための第４の形態の伸縮リンク機構、保持機構の説明図。
【図１７】本発明を実施するための第５の形態の平面図。
【図１８】図１７の１８−１８線に沿う断面図。
【図１９】本発明を実施するための第５の形態の伸縮リンク機構、保持機構の説明図。
【図２０】本発明を実施するための第６の形態の平面図。
【図２１】図２０の２１−２１線に沿う断面図。
【図２２】本発明を実施するための第６の形態の伸縮リンク機構、保持機構の説明図。
【発明を実施するための形態】
【００１１】
以下、図面に示す本発明を実施するための形態により、本発明を詳細に説明する。
【００１２】
図１ないし図７に示す本発明を実施するための第１の形態において、１は左右の躯体である左右の建物２、２の床躯体３、３間の目地部４を覆う本発明の目地装置で、この目地装置１は前記床目地部４の左右の床躯体３、３に前後方向に所定間隔で両端部が枢支された複数個、本発明の実施の形態では２個の中央枢支部５、５を有する複数個、本発明の実施の形態では４個のパンタグラフ形状の伸縮リンク機構６、６、６、６と、この複数個の伸縮リンク機構６、６、６、６の中央枢支部５、５、５、５、５、５、５、５にそれぞれ枢支された複数個、本発明の実施の形態では８個の支持杆７、７、７、７、７、７、７、７と、この複数個の支持杆７、７、７、７、７、７、７、７を前記伸縮リンク機構６、６、６、６が伸縮移動しても垂直状態を保持する保持機構８と、前記複数個の支持杆７、７、７、７、７、７、７、７のうちの同じ位置に位置する支持杆７、７、７、７の上部に直接あるいは支持バー部材９、９を介して後端部が取付けられ、先端部が一方の床躯体３の上面に接触してスライド移動可能および、隣りと接触してスライド移動可能な複数個の目地カバー１０、１０と、前記他方の床躯体３と該床躯体３側の目地カバー１０との間を覆うように床躯体３に後端部が取付けられる端部目地カバー１１とで構成されている。
【００１３】
前記複数個の伸縮リンク機構６、６、６、６は３個の四角枠のリンク１２、１２、１２が形成されたパンタグラフ形状のリンク部材本体１３と、このリンク部材本体１３の両端部の枢支ピン１４、１４に枢支された床躯体３、３に取付けられるヒンジ部材１５、１５と、前記リンク部材本体１３の中央枢支部５、５に枢支された支持杆支持筒１６、１６とで構成されている。
【００１４】
なお、支持バー部材９、９は目地カバー１０の厚さ寸法分だけ厚さ寸法が異なるものを用いたり、スペーサーを用いてもよい。
【００１５】
前記保持機構８、８、８、８は伸縮リンク機構６、６、６、6の３個のリンク１２、１２、１２の下部に、該リンク１２、１２、１２を利用して２個の四角枠となるように形成されたリンク１７、１７と、このリンク１７、１７の突出する部位の枢支ピン１８、１８に枢支された前記支持杆７、７の下部を上下方向にスライド移動可能に支持する支持筒１９、１９とで構成されている。
【００１６】
前記目地カバー１０、１０は前記リンク１２、１２、１２の、１個のリンク１２の幅寸法の約２倍の寸法の目地カバー本体２０、２０と、この目地カバー本体２０、２０の後端部にＬ字状に下方へ突出するように折り曲げ形成された支持片２１、２１とで構成されている。
【００１７】
上記構成の目地装置１は、左右の建物２、２の床躯体３、３間の床目地部４は伸縮リンク機構６、６、６、６、保持機構８、８、８、８で支持された複数個の支持杆７、７、７、７、７、７、７、７で支持された目地カバー１０、１０および他方の床躯体３に取付けられた端部目地カバー１１で覆われており、安全に目地カバー１０、１０や端部目地カバー１１上を通行することができる。
【００１８】
地震で左右の建物２、２が揺れ動き、床目地部４が狭くなると、図５に示すように伸縮リンク機構６、６、６、６が収縮して目地カバー１０、１０、端部目地カバー１１の重なりが大きくなるようにスライド移動して、その揺れ動きを吸収する。
【００１９】
また、地震で左右の建物が揺れ動き、床目地部４が広くなると、図６に示すように伸縮リンク機構６、６、６、６が伸長して目地カバー１０、１０、端部目地カバー１１の重なりが小さくなるようにスライド移動して、その揺れ動きを吸収する。
【００２０】
さらに、地震で左右の建物２、２が異なる前後方向に揺れ動くと、図７に示すように伸縮リンク機構６、６、６、６の両端部のヒンジ部材１５、１５、１５、１５、１５、１５、１５、１５が回動して伸縮リンク機構６、６、６、６が傾斜状態となるとともに、目地カバー１０、１０が前後方向にスライド移動して、その揺れ動きを吸収する。
【００２１】
なお、地震の揺れ動きが停止すると、伸縮リンク機構６、６、６、６、保持機構８、８、８、８、目地カバー１０、１０が元の位置へ自動的に戻る。
【００２２】
[発明を実施するための異なる形態]
次に、図８ないし図２２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図８ないし図１０に示す本発明を実施するための第２の形態において、前記本発明を実施するための第１の形態と主に異なる点は、他方のヒンジ部材１５とリンク部材本体１３とを接続する枢支ピン１４で端部支持杆支持筒２２を取付け、端部支持杆２３を枢支するとともに、該端部支持杆２３の下端部を上下方向にスライド移動可能に支持する床躯体３にヒンジ部材２４を介して取付けられた端部支持杆支持筒２５を設け、前記端部支持杆２３、２３、２３、２３の上部に取付けられた支持バー部材９に目地カバー１０を取付けた点で、このように構成した目地装置１Ａにしても、前記本発明を実施するための第１の形態と同様な作用効果が得られる。
【００２４】
図１１ないし図１３に示す本発明を実施するための第３の形態において、前記本発明を実施するための第１の形態と主に異なる点は、左右の道路や通路２６、２６となる床躯体３Ａ、３Ａ間の床目地部４Ａを覆うように目地装置１Ｂを設置した点で、このような部位に目地装置１Ｂを設置しても、前記本発明を実施するための第１の形態と同様な作用効果が得られる。
【００２５】
図１４ないし図１６に示す本発明を実施するための第４の形態において、前記本発明を実施するための第１の形態と主に異なる点は、伸縮リンク機構６、６、６、６の下部位置に、該伸縮リンク機構６、６、６、６と同じ構成で、中央枢支部５、５に支持筒１９、１９を設けたパンタグラフ形状の保持機構８Ａ、８Ａ、８Ａ、８Ａを用いた点で、このような保持機構８Ａ、８Ａ、８Ａ、８Ａを用いて構成した目地装置１Ｃにしても、前記本発明を実施するための第１の形態と同様な作用効果が得られる。
【００２６】
図１７ないし図１９に示す本発明を実施するための第５の形態において、前記本発明を実施するための第１の形態と主に異なる点は、一方の建物２の外壁躯体２ａと他方の建物２のパラペット躯体２ｂとの屋上目地部２７を覆えるように、高さ寸法を異ならせた支持杆７、７、７、７、７、７、７、７の上部に後端部を固定した天井用目地カバー支持金具２８、２８、２８、２８、２８、２８、２８、２８を取付け、該天井用目地カバー支持金具２８、２８、２８、２８、２８、２８、２８、２８にそれぞれ後端部が上方に、先端部が下方へ曲げられた天井用目地カバー２９、２９を取付けるとともに、前記パラペット躯体２ｂにパラペット用天井目地カバー支持金具３０、３０、３０、３０を取付け、該パラペット用天井目地カバー支持金具３０、３０、３０、３０に後端部が上方へ、先端部が下方へ曲げられたパラペット用目地カバー３１を取付け、前記外壁躯体２ａに外壁用天井目地カバー支持金具３２、３２、３２、３２を取付け、該外壁用天井目地カバー支持金具３２、３２、３２、３２に後端部が上方へ、先端部が下方へ曲げられた外壁用目地カバー３３を取付けた点で、このように構成した屋上用目地装置１Ｄにしても、前記本発明を実施するための第１の形態と同様な作用効果が得られる。
【００２７】
なお、３４、３４、３４、３４は外壁用目地カバー３３、天井用目地カバー２９、２９およびパラペット用目地カバー３１の先端部に取付けられた、内部へ風や雨が侵入するのを阻止するシール用のゴムシートである。
３５は外壁用目地カバー３３と外壁２ａとの間をシールするシール剤である。
【００２８】
図２０ないし図２２に示す本発明を実施するための第６の形態において、前記本発明を実施するための第５の形態と主に異なる点は、パラペット用目地カバー３１、天井用目地カバー２９、２９の後端上部が天井用目地カバー支持金具２８、２８、外壁用天井目地カバー支持金具３２を支持できるようにするとともに、天井用目地カバー２９、２９および外壁用目地カバー３０の先端部と、パラペット用目地カバー３１、天井用目地カバー２９、２９の後端部との間に遊びを有するように防水シート３６、３６、３６を取付けた点で、このように構成した目地装置１Ｅにしても、前記本発明を実施するための第５の形態と同様な作用効果が得られる。
【産業上の利用可能性】
【００２９】
本発明は左右の建物の躯体の床目地部や屋上目地部、目地部を介して設けられた左右の道路や通路となる床躯体間の目地部を覆う目地装置を製造する産業で利用される。
【符号の説明】
【００３０】
１、１Ａ、１Ｂ、１Ｃ、１Ｄ、１Ｅ：目地装置、
２：建物、        ３、３Ａ：床躯体、
４、４Ａ：床目地部、    ５：中央枢支部、  
６：伸縮リンク機構、    ７：支持杆、
８、８Ａ：保持機構、    ９：支持バー部材、
１０：目地カバー、      １１：端部目地カバー、
１２：リンク、      １３：リンク部材本体、
１４：枢支ピン、      １５：ヒンジ部材、
１６：支持杆支持筒、    １７：リンク、
１８：枢支ピン、      １９：支持筒、
２０：目地カバー本体、    ２１：支持片、
２２：端部支持杆支持筒、    ２３：端部支持杆、
２４：ヒンジ部材、      ２５：端部支持杆支持筒、
２６：左右の道路や通路、    ２７：屋上目地部、
２８：天井用目地カバー支持金具、
２９：天井用目地カバー、
３０：パラペット用天井目地カバー支持金具、
３１：パラペット用目地カバー、  
３２：外壁用天井目地カバー支持金具、
３３：外壁用目地カバー、    ３４：シール用のゴムシート、
３５：シール剤。
【図１】
2014029074.tif 000003
【図２】
2014029074.tif 000004
【図３】
2014029074.tif 000005
【図４】
2014029074.tif 000006
【図５】
2014029074.tif 000007
【図６】
2014029074.tif 000008
【図７】
2014029074.tif 000009
【図８】
2014029074.tif 000010
【図９】
2014029074.tif 000011
【図１０】
2014029074.tif 000012
【図１１】
2014029074.tif 000013
【図１２】
2014029074.tif 000014
【図１３】
2014029074.tif 000015
【図１４】
2014029074.tif 000016
【図１５】
2014029074.tif 000017
【図１６】
2014029074.tif 000018
【図１７】
2014029074.tif 000019
【図１８】
2014029074.tif 000020
【図１９】
2014029074.tif 000021
【図２０】
2014029074.tif 000022
【図２１】
2014029074.tif 000023
【図２２】
2014029074.tif 000024